(57)【要約】      （修正有）【課題】いわゆる鱗紋基調としつつ意外性があり、不定形ながら一定の規則性のある意匠を表出させる素材構成に基づくバッグを提供すること。【解決手段】布地材より曲げ強度の強い正三角形基調の裏当板を、所定間隔離して布地材の裏一面に貼付した複合素材１１を用いて少なくとも側面部１０を形成したことを特徴とするバッグ１。【選択図】図１
2019208865.tif 000002
【特許請求の範囲】
【請求項１】
表面生地より曲げ強度の強い正三角形基調の裏当材を、所定間隔離して表面生地の裏一面に貼付したバッグ用複合素材を用いて少なくとも側面を形成したことを特徴とするバッグ。
【請求項２】
バッグ側面の底辺および／または上辺は、裏当材のない表面生地部分により形成されていることを特徴とする請求項１に記載のバッグ。
【請求項３】
バッグの幅、径、または、高さのうち、最も大きな長さに対して、裏当材の一辺が１／６〜１／１２であることを特徴とする請求項１または２に記載のバッグ。
【請求項４】
平面に載置して法線方向からみた反射率より、法線方向に対して所定範囲内の角度から見た反射率の方が大きい様に表面処理された単一色の表面生地を用いたことを特徴とする請求項１、２または３に記載のバッグ。
【請求項５】
マイクロファイバーによる布地材にポリ塩化ビニルまたはポリウレタンをコーティングした単一色の表面生地を用いたことを特徴とする請求項１、２または３に記載のバッグ。
【発明の詳細な説明】
【技術分野】
【０００１】
本発明は、全体的には不定形ながらも、一定の規則性をもった表面意匠を与えるバッグに関する。
【背景技術】
【０００２】
バッグは、その用途に応じた大きさや形状があり、また、素材や配色も伴って多様な種類が存在する。
一方で、何十年も形やデザインをほとんど変えず、いわゆる定番物といわれるものも存在する。定番ものの中には、いわゆるシックやトラディショナルと称される、比較的落ち着いた色合いの中に、気品のある質感を伴うものも知られている。
【先行技術文献】
【特許文献】
【０００３】
【特許文献１】特開昭５９−０３０９７４
【特許文献２】特開２０１１−３８４６３
【発明の概要】
【発明が解決しようとする課題】
【０００４】
本発明は、いわゆる鱗紋基調としつつ意外性があり、不定形ながら一定の規則性のある意匠を表出させる素材構成に基づくバッグを提供することを目的とする。
【課題を解決するための手段】
【０００５】
請求項１に記載のバッグは、表面生地より曲げ強度の強い正三角形基調の裏当材を、所定間隔離して表面生地の裏一面に貼付したバッグ用複合素材を用いて少なくとも側面を形成したことを特徴とするバッグである。
【０００６】
すなわち、請求項１に係る発明は、裏当材の単位形状により、色分けや線引きによらない表面生地のみによる、鱗紋基調であって自由度の高い起伏のある模様を表出させることが可能となる。
【０００７】
表面生地は広義であって、バッグの表面を構成する布様材料であれば特に限定されない。植物繊維系や人口繊維系のような繊維系の生地であってもよい。本革でも人工皮革であってもよい。仕様の態様によってはシート状の樹脂素材も含まれる。なお、生地表面に模様や紋様、色彩が施されていても良いが、裏当材由来の表面意匠が効果的に看取できる単一色とするのが好ましい。
裏当材は、平板体であることが好ましい。裏当材は金属板のような堅い素材のほか、プラスチックのような曲がる柔軟素材であってもよい。なお、バッグ内側は裏当材が露出することなく、裏面生地により被覆されていることを妨げない。正三角形基調とは、正三角形の角をとって、たとえば丸みを持たせた形状を含むことをいう。所定間隔とは、正三角形一辺の１／１０〜１／３０の間隔とすることができる。表面生地の裏一面に貼付するとは、所定間隔部分を除き裏当材を隙間無く敷き詰めることをいい、これにより鱗紋が形成されることとなる。ただし、裏一面といっても端部部分（ミミ）や縫合しろとする部分は表面生地だけとしてもよい。
バッグの形状によっては底面のないものもあるが、底面がある場合には、底面部分も同様もしくは同一のバッグ用複合素材をもちいてもよい。
【０００８】
請求項２に記載のバッグは、請求項１に記載のバッグにおいて、バッグ側面の底辺および／または上辺は、裏当材のない表面生地部分により形成されていることを特徴とする。
【０００９】
すなわち、請求項２に係る発明は、裏当材が中途で切断されずすなわち裏当材の単位形状が損なわれることなく、側面形態が形成される。
【００１０】
裏当材のない表面生地部分とは、裏当材同士の間隔部分である場合とバッグ用複合素材の端部や縫合しろとする部分をいう。
【００１１】
請求項３に記載のバッグは、請求項１または２に記載のバッグにおいて、バッグの幅、径、または、高さのうち、最も大きな長さに対して、裏当材の一辺が１／６〜１／１２であることを特徴とする。
【００１２】
すなわち、請求項３に係る発明は、表面が鱗紋となっていることを容易に看取できる。
【００１３】
最も大きな長さに対して裏当材の一辺が１／１２より小さいと紋様が細かくなりすぎ、鱗紋であることがわかりづらく、また、１／１６を超えると大判の三角形が目立ちすぎて意匠がかえって単調となってしまう。
【００１４】
請求項４に記載のバッグは、請求項１、２または３に記載のバッグにおいて、平面に載置して法線方向からみた反射率より、法線方向に対して所定範囲内の角度から見た反射率の方が大きい様に表面処理された単一色の表面生地を用いたことを特徴とする。
【００１５】
すなわち、請求項４に係る発明は、マットな質感と光沢があるような質感が交錯し、単一色ながら装飾性の高いバッグを提供できる。傾いた三角形（正三角形からずれた三角形）部分が光り正三角形部分は沈み込む幾何学模様が表出し装飾性をより高める。
いわば、つや消しによりシックな質感を演出しつつ、幾何学模様による近未来的な質感を表出させることができる。
【００１６】
請求項５に記載のバッグは、請求項１、２または３に記載のバッグにおいて、マイクロファイバーによる布地材にポリ塩化ビニルまたはポリウレタンをコーティングした単一色の表面生地を用いたことを特徴とする。
【００１７】
すなわち、請求項５に係る発明は、マットな質感と光沢があるような質感が交錯し、単一色ながら装飾性の高いバッグを提供できる。傾いた三角形（正三角形からずれた三角形）部分が光り正三角形部分は沈み込む幾何学模様が表出し装飾性をより高める。
いわば、つや消しによりシックな質感を演出しつつ、幾何学模様による近未来的な質感を表出させることができる。
【発明の効果】
【００１８】
本発明によれば、いわゆる鱗紋基調としつつ意外性があり、不定形ながら一定の規則性のある意匠を表出させるバッグを提供することができる（請求項１）。また、鱗紋の単位形状が損なわれることなく、側面形態を形成させることができる（請求項２）。また、容易に鱗紋のデザイン看取が可能となる（請求項３）。また、マットな質感と光沢があるような質感が交錯し、単一色ながら装飾性の高いバッグを提供できる（請求項４、請求項５）。
【図面の簡単な説明】
【００１９】
【図１】本発明のバッグの外観構成図である。（ａ）斜視図。（ｂ）底面図
【図２】本発明のバッグに用いるバッグ用複合素材の例を示した説明図である。
【図３】本発明のバッグの写真である。
【発明を実施するための形態】
【００２０】
以下、本発明の実施の形態を図面を参照しながら詳細に説明する。図１は、本発明のバッグの外観構成図である。図２は、本発明のバッグに用いるバッグ用複合素材の例を示した説明図である。図３は、本発明のバッグの写真である。
【００２１】
バッグ１は、側面部１０と、底面部２０と、持手部３０と、を基本構成としている。
【００２２】
側面部１０は、表側にくる複合素材１１と内側にくる裏当布１２とにより構成されている。
【００２３】
複合素材１１は、表面に黒色のポリ塩化ビニルをコーティングしたマイクロファイバーによる厚み約１．５ｍｍの布地材１１１の裏一面に、一辺約４ｃｍ厚み約１ｍｍの正三角形（ただし角には丸みを持たせている）状のポリ塩化ビニル板である裏当板１１２を、２ｍｍ間隔で一様に貼り付けたものである。図２に示したように、複合素材１１は帯状であって、両端は縫い代として裏当板１１２を貼り付けていないミミ１１３を設けている。  
【００２４】
ミミ１１３に沿った裏当板１１２は、一辺を帯の長さ方向に向けて一様に敷き詰めてあり、かつ、裏当板１１２が正三角形であるので、平坦な複合素材１１が曲げるなどされると幾何学紋様いわゆる鱗紋が表出する。なお以降においては、裏当板１１２間の折れ曲がる部分を間隙１１４と称することとする。
【００２５】
また、布地材１１１の表面は、平面に載置して法線方向から見るとその素材の表面性状によりつや消し様に見える。しかしながら、法線方向から４０°程度以上傾いた方向から見ると、光沢があるように見える（素材とコーティングによるそのような見え方になる）。
更に、布地材１１１は、裏当板１１２があるところは平面が保たれ、かつ、間隙１１４で折れ曲がることができる。
従って、複合素材１１を用いたバッグ１の側面部１０は、内容物や自重に伴って自由度の高い不定形な形状をとりつつ、幾何学的な模様を表出させ、かつ、各三角形部分は単一色ながら明度または彩度が異なって見える結果、シックでありながら近未来的な意匠を形成する。
なお、各三角形部分自体はそれぞれ一様に看取されるようにするため、裏当板１１２の曲げ強度は、布地材１１１の曲げ強度より高くして、いわゆるコシを出すようにしている。
【００２６】
裏当布１２は、複合素材１１裏面の裏当板１１２を被覆し、また、バッグ１内部の内ポケットや仕切り（図示せず）を構成する。
【００２７】
複合素材１１は、短辺方向を逢着して筒状とし、一方のミミ１１３を底面部２０に縫い合わせ、他方のミミ１１３はバッグ１の開口部として加工する。
【００２８】
持手部３０は、バッグ１の持手を形成し、本実施の形態では、側面部１０の上辺（開口部）に取り付けている。
【００２９】
底面部２０は、角を丸めた長方形であって、布地材１１１の裏面に厚手の芯材（図示せず）が貼り付けてあり、更に、裏当布１２と同素材の裏当布（図示せず）が当てられた構成となっている。周縁部はミミ１１３と縫い合わされ、底面部２０と側面部１０とが合着した構成である。なお、底面部２０には、四箇所に金属製の足２１も突設されている。
【００３０】
バッグ１は以上の構成であり、いわゆる鱗紋基調としつつ意外性があり、不定形ながら一定の規則性のある意匠を表出させるものである。より具体的には、マットな質感と光沢があるような質感が交錯し、単一色ながら装飾性の高いバッグを提供できる。特に、側面は事実上凹凸のない一枚物でありながら、傾いた三角形（正三角形からずれた三角形）部分は光り正三角形部分は沈み込む幾何学模様が表出されるので装飾性をより高めている。
【００３１】
なお、本発明は以上の例に限定されない。
バッグの構成によっては、底面部２０にも複合素材１１を用いても良い。また、底面部２０のないバッグであってもよい。すなわち、バッグ１は、クラッチバッグ、トートバッグ、ショルダーバッグ、ポシェット、バケットバッグ、ボストンバッグ、リュックサック、巾着袋など、特に限定されない。
ただし、鱗紋が好適に看取されるためには、バッグの幅、径、または、高さのうち、最も大きな長さに対して、裏当材の一辺が１／６〜１／１２であることが好ましい。
【００３２】
また、布地材１１１は、黒色としたが、他の色であってもよく、布地材１１１自体に模様や複数色による色彩が施されていてもよい。仕様の態様のよっては、裏当板１１２に対応して正三角形部分を複数色に塗り分けるようにしてもよい。
また、布地材１１１は、ポリ塩化ビニルをコーティングしたマイクロファイバー以外の他の人工皮革、樹脂生地、本革等、種々の生地を採用することができる。
また、光沢の有無については、平面に載置して法線方向からみた反射率より、法線方向に対して所定範囲内の角度から見た反射率の方が大きい様に表面処理された布地材１１１を採用する方が、その表出意匠の意外性の観点から好ましいがこれに限定されない。
【００３３】
なお、側面部１０全面が複合素材１１で構成されている態様のほか、側面部１０上部または下部は別の素材または同素材でありつつ裏当板１１２の無いように構成されていても良いものとする。
【産業上の利用可能性】
【００３４】
本発明によれば、新たな需要を喚起できる。
また、財布に適用しても良い。
【符号の説明】
【００３５】
１        バッグ
１０     側面部
１１     複合素材
１１１  布地材
１１２  裏当板
１１３  ミミ
１１４  間隙
１２     裏当布
２０     底面部
２２     足
３０     持手部
【図１】
2019208865.tif 000003
【図２】
2019208865.tif 000004
【図３】
2019208865.tif 000005